(57)【要約】      （修正有）【課題】Web画面上に複数の画像情報を表示させる場合において、簡単な操作でかつ処理遅延なく、目的の画像情報のみを更新できるWeb画面表示方法およびこれを実施するサーバ・クラアントシステムを提供する。【解決手段】クライアントは、第１の画像情報をネットワークを介してサーバへ送信する処理と、前記サーバから、外部記憶装置に記憶されている前記第１の画像情報に関連する第２の画像情報のパス情報をテキストデータにて前記ネットワークを介して受信する処理と、前記パス情報を含む該第２の画像情報の要求を前記ネットワークを介して前記サーバへ送信する処理とを実施し、前記サーバは、前記クライアントから前記パス情報を含む第２の画像情報の要求を受信する処理と、前記外部記憶装置から該受信したパス情報を元に前記第２の画像情報を取得する処理と、該第２の画像情報を元に前記Web画面上の該当画像情報を更新する処理とを実施する。【選択図】図１０
2010211653.tif 000002
【特許請求の範囲】
【請求項１】
サーバ・クライアントシステムにて実施するWeb画面表示方法であって、
複数の画像情報をWeb画面上に表示し、第１の画像情報の更新要求を受信すると、前記複数の画像情報が表示された前記Web画面において該第１の画像情報のみを更新する、
ことを特徴とするWeb画面表示方法。
【請求項２】
サーバおよびクライアントがネットワークを介して接続されたサーバ・クライアントシステムにて実施するWeb画面表示方法であって、
前記クライアントにより、
第１の画像情報を前記ネットワークを介して前記サーバへ送信する処理と、前記サーバから前記第１の画像情報に関連する第２の画像情報のパス情報をテキストデータにて前記ネットワークを介して受信する処理と、前記パス情報を含む該第２の画像情報の要求を前記ネットワークを介して前記サーバへ送信する処理とを実施し、
前記サーバにより、
前記クライアントから前記第１の画像情報を前記ネットワークを介して受信する処理と、外部記憶装置から前記第１の画像情報に関連する前記第２の画像情報のパス情報を取得する処理と、該パス情報をテキストデータにて前記クライアントへ前記ネットワークを介して送信する処理と、前記クライアントから前記パス情報を含む第２の画像情報の要求を受信する処理と、前記外部記憶装置から該受信したパス情報を元に前記第２の画像情報を取得する処理と、該第２の画像情報を元に前記Web画面上の該当画像情報を更新する処理とを実施する、
ことを特徴とするWeb画面表示方法。
【請求項３】
サーバ・クライアントシステムにおいて、
複数の画像情報をWeb画面上に表示し、第１の画像情報の更新要求を受信すると、前記複数の画像情報が表示された前記Web画面において該第１の画像情報のみを更新する手段を有する、
ことを特徴とするサーバ・クライアントシステム。
【請求項４】
サーバおよびクライアントがネットワークを介して接続されたサーバ・クライアントシステムであって、
前記クライアントは、
第１の画像情報を前記ネットワークを介して前記サーバへ送信し、前記サーバから前記第１の画像情報に関連する第２の画像情報のパス情報をテキストデータにて前記ネットワークを介して受信し、前記パス情報を含む該第２の画像情報の要求を前記ネットワークを介して前記サーバへ送信する制御部を有し、
前記サーバは、
前記クライアントから前記第１の画像情報を前記ネットワークを介して受信し、外部記憶装置から前記第１の画像情報に関連する前記第２の画像情報のパス情報を取得し、該パス情報をテキストデータにて前記クライアントへ前記ネットワークを介して送信し、前記クライアントから前記パス情報を含む第２の画像情報の要求を受信し、前記外部記憶装置から該受信したパス情報を元に前記第２の画像情報を取得し、該第２の画像情報を元に前記Web画面上の該当画像情報を更新する制御部を有する、
ことを特徴とするサーバ・クライアントシステム。
【発明の詳細な説明】
【技術分野】
【０００１】
本発明は、複数の画像情報をWebで表示する際のWeb画面表示方法およびこれを実施するサーバ・クライアントシステムに関する。
【背景技術】
【０００２】
気象業務は「複数のデータを同時に確認しながら作業が必要となる」、「気象データによって配信タイミングが異なる」、「画像を含む大量のデータが存在する」ことが主な特徴として挙げられる。現在ではWebによる気象データ配信が一般的となってきているが、1画面上に複数の気象データを表示させると、通常の更新方法では更新の際に全てのデータを含む通信がサーバ・クライアント間で発生するため、処理の遅延を招くなど、ユーザ操作性の面で不都合な点が多いため、複数のWebブラウザを立ち上げて業務を行うケースが多かった。
【０００３】
一方、Web画面全体を更新せず、Web画面一部を更新する技術として、DHTMLやAjax等の非同期通信処理を利用する方法が知られている。特許文献１には、Ajaxを用いたデータ更新方法が開示されており、特許文献２には、DHTMLを用いたWebシステムが開示されている。
【先行技術文献】
【特許文献】
【０００４】
【特許文献１】特開２００８−２８２３１１号公報
【特許文献２】特開２００７−１１４３９号公報
【発明の概要】
【発明が解決しようとする課題】
【０００５】
しかし、上記従来技術では、XMLデータによりサーバ・クライアント間のデータ受け渡しを行っているため、XMLデータ生成処理やXMLデータ管理処理等のXMLデータを扱う処理が必要であった。
【０００６】
また、XMLデータでやり取りを行う手法は、Web画面上の文字情報を更新する場合には優れているものの、画像情報を更新する場合には適していない。
【０００７】
本発明は、このような事情に鑑みてなされたものであり、Web画面上に複数の画像情報を表示させる場合において、簡単な操作でかつ処理遅延なく、目的の画像情報のみを更新できるWeb画面表示方法およびこれを実施するサーバ・クライアントシステムを提供することを目的とする。
【課題を解決するための手段】
【０００８】
上記目的を達成するために、本発明は、サーバ・クライアントシステムにおいて、複数の画像情報が表示されたWeb画面において、Web画面全体を更新することなく、目的の画像情報のみを更新する。具体的には、クライアントおよびサーバは、それぞれ以下の処理を実施する。
【０００９】
前記クライアントは、第１の画像情報を前記ネットワークを介して前記サーバへ送信する処理と、前記サーバから前記第１の画像情報に関連する第２の画像情報のパス情報をテキストデータにて前記ネットワークを介して受信する処理と、前記パス情報を含む該第２の画像情報の要求を前記ネットワークを介して前記サーバへ送信する処理とを実施する。
【００１０】
前記サーバは、前記クライアントから前記第１の画像情報を前記ネットワークを介して受信する処理と、外部記憶装置から前記第１の画像情報に関連する前記第２の画像情報のパス情報を取得する処理と、該パス情報をテキストデータにて前記クライアントへ前記ネットワークを介して送信する処理と、前記クライアントから前記パス情報を含む第２の画像情報の要求を受信する処理と、前記外部記憶装置から該受信したパス情報を元に前記第２の画像情報を取得する処理と、該第２の画像情報を元に前記Web画面上の該当画像情報を更新する処理とを実施する。
【発明の効果】
【００１１】
本発明によれば、Web画面上に複数の画像情報を表示させる場合において、簡単な操作でかつ処理遅延なく、目的の画像情報のみを更新できるWeb画面表示方法およびこれを実施するサーバ・クライアントシステムを提供することができる。
【図面の簡単な説明】
【００１２】
【図１】本実施形態に係る気象データＷｅｂ表示システム全体構成を示す図である。
【図２】本実施形態に係るファイル受信サーバ１のハードウェア構成例を示す図である。
【図３】本実施形態に係るファイル識別テーブル１１３の構成例を示す図である。
【図４】本実施形態に係るＷｅｂサーバ３のハードウェア構成例を示す図である。
【図５】本実施形態に係るクライアント４のハードウェア構成例を示す図である。
【図６】本実施形態に係るファイル管理テーブル４１６の構成例を示す図である。
【図７（ａ）】本実施形態に係るＷｅｂ画面表示例を示す図である。
【図７（ｂ）】同じく、本実施形態に係るＷｅｂ画面表示例を示す図である。
【図８】本実施形態に係る初期画面表示処理を説明するシーケンスである。
【図９】本実施形態に係る気象データ更新処理の概要を説明するフローチャートである。
【図１０】本実施形態に係る最新データ表示処理（図９、ステップ２０３）の詳細を説明するシーケンスである。
【図１１】本実施形態に係る「前ボタン」または「後ボタン」に割当てられた画像表示処理（図９、ステップ２０５）の詳細を説明するシーケンスである。
【図１２】本実施形態に係る対象データファイルパス取得方法を説明するための図である。
【図１３】本実施形態に係る「動画ボタン」に割当てられた複数枚の画像連続表示処理を示すシーケンスである。
【発明を実施するための形態】
【００１３】
以下、本発明の実施例について、図面を参照して詳細に説明する。
【００１４】
図１は、気象データＷｅｂ表示システム全体構成を示す図である。
【００１５】
図１に示すように、気象データＷｅｂ表示システムは、ファイル受信サーバ１、共有ディスク（外部記憶装置）２、Ｗｅｂサーバ３、複数のクライアント４、および気象庁広域ネットワーク６が、例えば、ローカルエリアネットワーク等のネットワーク５に接続されて構成されるシステムである。
【００１６】
図２は、ファイル受信サーバ１のハードウェア構成例を示す図である。
【００１７】
図２に示すように、ファイル受信サーバ１は、ＣＰＵ等の制御部１００と、制御部１００が実行するファイル受信機能１１１、ファイル識別機能１１２からなるプログラム、ファイル識別テーブル１１３を格納する記憶部１０１と、ネットワーク５と情報の送受信を行うネットワークインタフェース部１０２を有する。
【００１８】
ファイル受信機能１１１は、気象庁広域ネットワーク６から、ネットワーク５、ネットワークインタフェース部１０２を介して気象データファイルを受信し、その受信した気象データファイルを記憶部１０１上のファイル受信ディレクトリに一時格納する機能を有する。気象データファイルは、データ識別子、時刻情報（発表時刻）およびファイル種別を示す情報をファイル名に含む画像データである。
【００１９】
ファイル識別機能１１２は、上記受信した気象データファイルのデータ識別子に基づきファイル識別テーブル１１３を検索し、気象データファイルの共有ディスク２上の格納ディレクトリを検索し、前記ファイル受信ディレクトリに格納された気象データファイルを、検索した格納ディレクトリへ格納する機能を有する。
【００２０】
図３は、ファイル識別テーブル１１３の構成例を示す図である。
【００２１】
図３に示すように、ファイル識別テーブル１１３には、データ識別子１３１と、受信した気象データファイルの共有ディスク２への格納先を示す格納ディレクトリ１３２と、受信した気象データファイルの種別を示す情報１３３がそれぞれ対応付けられて記憶されている。
【００２２】
データ識別子１３１は、受信した気象データファイルに含まれる文字列で、データの種類が一意に特定できる文字列である。格納ディレクトリ１３２は、気象データファイルを格納する共有ディスク２上のディレクトリであり、同一種類の気象データファイルが同一のディレクトリに格納されるようにする。ファイル種別１３３は、各気象データファイルのファイル種別（形式）を示す文字列である。
【００２３】
図４は、Ｗｅｂサーバ３のハードウェア構成例を示す図である。
【００２４】
図４に示すように、Ｗｅｂサーバ３は、ＣＰＵ等の制御部３００と、制御部３００が実行するＷｅｂサーバ機能３１１、Ｗｅｂコンテンツ作成機能３１２からなるプログラムを格納する記憶部３０１と、ネットワーク５と情報の送受信を行うネットワークインタフェース部３０２を有する。
【００２５】
Ｗｅｂサーバ機能３１１は、クライアント４からのＷｅｂリクエスト（Ajax）に対して、Ｗｅｂコンテンツ作成機能３１２にて特定の処理を実行させ、その処理結果をネットワークインタフェース部３０２を介してクライアント４へ送信する機能を有する。
【００２６】
Ｗｅｂコンテンツ作成機能３１２は、クライアント４からのＷｅｂリクエストに応じて、共有ディスク２上に格納された各種気象データ（コンテンツ）を取得し、クライアント４で表示するための処理結果をＷｅｂサーバ機能３１１へ渡す機能を有する。
【００２７】
図５は、クライアント４のハードウェア構成例を示す図である。
【００２８】
図５に示すように、クライアント４は、ＣＰＵ等の制御部４００と、制御部４００が実行するＷｅｂページ表示機能４１１、ファイル情報管理機能４１２、ファイル更新監視機能４１３、非同期通信機能４１４からなるプログラム、監視間隔設定ファイル４１５およびファイル管理テーブル４１６を格納する記憶部４０１と、ネットワーク５と情報の送受信を行うネットワークインタフェース部４０２と、ディスプレイ等のＷｅｂ画面を表示する表示部４０３と、キーボード、マウス等のユーザがＷｅｂ画面を操作するための入力部４０４を有する。
【００２９】
Ｗｅｂページ表示機能４１１は、入力部４０４からの操作およびファイル更新監視機能４１３からの通知・要求に応じて、Ｗｅｂサーバ３へＷｅｂリクエストをネットワークインタフェース部４０２を介して送信し、Ｗｅｂサーバ３から得られた結果（htmlファイルや気象データ）を表示部４０３へＷｅｂページとして表示する機能を有する。
【００３０】
ファイル情報管理機能４１２は、Ｗｅｂサーバ３から取得した前記気象データに関する情報（ファイル名、ディレクトリ）をファイル管理テーブル４１６に格納する機能を有する。この格納情報は、取得済み気象データ関連情報として管理される。また、ファイル情報管理機能４１２は、入力部４０４からの操作（気象データの更新要求）に応じて該当気象データの画像ファイルパスを取得する機能を有する。
【００３１】
ファイル更新監視機能４１３は、Ｗｅｂブラウザで表示中の気象データの更新間隔を監視間隔設定ファイル４１５から読み取り、更新時間が経過したタイミングで、Ｗｅｂページ中における該当気象データのみの更新をＷｅｂページ表示機能４１１に要求する機能を有する。
【００３２】
非同期通信機能４１４は、Ｗｅｂサーバ３と非同期にて、ファイル情報管理機能４１２が管理する気象データ等の送受信を行う機能を有する。
【００３３】
図６は、ファイル管理テーブル４１６の構成例を示す図である。
【００３４】
図６に示すように、ファイル管理テーブル４１６には、ファイル名６０１と、格納ディレクトリ６０２が対応付けられて記憶されている。
【００３５】
ファイル名６０１は、Ｗｅｂページ表示機能４１１がＷｅｂサーバ３より取得済みの気象データファイルのファイル名を示す。格納ディレクトリ６０２は、前記取得済み気象データファイルが存在する共有ディスク２上のディレクトリを示す。
【００３６】
図７（ａ）と図７（ｂ）は、複数の気象データが表示されたＷｅｂ画面表示例を示す図である。
【００３７】
図７（ａ）に示す更新前画面には、Ｗｅｂブラウザ４３０上に、４つの気象データ(実況天気図４３１、予想天気図４３２、衛星画像４３３、台風情報４３４)が表示されており、台風情報４３４は動画ループ処理中であることを示している。
【００３８】
各気象データの表示部は「前ボタン（＜）４３５」、「後ボタン（＞）４３６」、「最新ボタン４３７」、「動画ループボタン４３８」等のボタンを有し、入力部４０４を用いたユーザ操作により、目的の気象データに対する操作が可能である。なお、「前ボタン（＜）４３５」により１時間前の画像データ、「後ボタン（＞）４３６」により1時間後の画像データの表示が可能である。各気象データは、非同期通信機能４１４により、Ｗｅｂサーバ３との通信処理が個別になされ、それぞれ独立して気象データの更新が可能である。
【００３９】
図７（ｂ）に示す更新後画面の例では、衛星画像４３３の最新版を取得する際に、現在動画ループ表示中の台風情報４３４や実況天気図４３１、予想天気図４３２の表示に影響することなく衛星画像４３３のみ表示内容を更新することが可能となる。
【００４０】
図８は、気象データ表示用の初期画面の生成および表示処理を説明するシーケンスである。
【００４１】
まず、クライアント４は、Ｗｅｂページ表示機能４１１により、初期画面要求をネットワーク５を介してＷｅｂサーバ３へ送信する(ステップ１０１)。
【００４２】
初期画面要求を受け取ったＷｅｂサーバ３は、Ｗｅｂサーバ機能３１１およびＷｅｂコンテンツ作成機能３１２により、その要求に基づき共有ディスク２上の初期表示用画像が存在するディレクトリを検索し(ステップ１０２)、最新画像を取得する (ステップ１０３) 。次に、Ｗｅｂサーバ機能３１１およびＷｅｂコンテンツ作成機能３１２により、取得した初期表示用最新画像を用いて初期画面を生成し (ステップ１０４)、その生成した初期画面をHTMLデータとしてネットワーク５を介してクライアント４へ送信する (ステップ１０５) 。
【００４３】
クライアント４は、受信した初期画面(HTMLデータ)を表示部４０３のＷｅｂブラウザ上に表示する (ステップ１０６) 。
【００４４】
図９は、気象データの更新処理の概要を説明するフローチャートである。
【００４５】
クライアント４は、Ｗｅｂページ表示機能４１１により、更新時間経過によるファイル更新監視機能４１３からの気象データ更新要求（ステップ２０１）、もしくはユーザにより入力部４０４を用いた「最新ボタン４３７」（図７（ａ））の押下操作によってファイル名、ボタン識別情報（「最新ボタン」）を含む更新要求（ステップ２０２）を取得した場合、最新データ表示処理(ステップ２０３)を実施する。
【００４６】
また、Ｗｅｂページ表示機能４１１により、ユーザにより入力部４０４を用いた「前ボタン４３５」または「後ボタン４３６」の押下操作によってファイル名、ボタン識別情報（「前ボタン」または「後ボタン」）を含む更新要求を取得した場合（ステップ２０４）、各ボタンに割当てられた画像表示処理（ステップ２０５）を実施する。
【００４７】
また、Ｗｅｂページ表示機能４１１により、ユーザにより入力部４０４を用いた「動画ボタン４３８」の押下操作によってファイル名、ボタン識別情報（「動画ボタン」）を含む更新要求を取得した場合（ステップ２０６）、ボタンに割当てられた複数枚の画像連続表示処理を実施する（ステップ２０７）。
【００４８】
なお、図９に示す各処理の順序は一例であり、ユーザ操作によって何れかのボタンが押下されると、その押下ボタンに割当てられた処理がなされる。
【００４９】
図１０は、最新データ表示処理(図９、ステップ２０３)の詳細を説明するシーケンスである。
【００５０】
まず、クライアント４は、Ｗｅｂページ表示機能４１１により、コンテンツ名、ボタン識別情報（「最新ボタン」）を含む更新要求と、ファイル管理テーブル４１６の情報とに基づき、ファイル管理テーブル４１６から取得済み画像ファイルのうち1番新しいファイル（以下、最新取得済み画像ファイルと呼ぶ）のファイル名、格納ディレクトリ情報を取得し、該取得情報を含む最新画像要求をネットワーク５を介してＷｅｂサーバ３へ送信する(ステップ３０１) 。
【００５１】
Ｗｅｂサーバ３は、Ｗｅｂサーバ機能３１１およびＷｅｂコンテンツ作成機能３１２により、受信した最新取得済み画像ファイルのファイル名、ディレクトリ情報に基づき共有ディスク２上の該当ディレクトリを検索し、該当ディレクトリ上の最新画像のファイルパスを取得する(ステップ３０２) 。図１２は、画像のファイルパス取得方法を説明するための図である。気象データは、図１２のデータファイル例に示すように、発表時刻がファイル名に含まれる形で配信される。この時刻部分を見ることで発表時刻を判断することが可能である。Ｗｅｂコンテンツ作成機能３１２により、前記発表時刻判断方法を利用して、ステップ３０２で取得した最新画像のファイルパスとステップ３０１で受信した最新取得済み画像ファイルの発表時刻を比較し、ファイル更新の有無を判定する (ステップ３０３) 。更新ファイルが存在した場合には、Ｗｅｂサーバ機能３１１により、前記最新画像ファイルパスをテキストデータとしてクライアント４へネットワーク５を介して送信する（ステップ３０４）。なお、ステップ３０３でファイル更新が無い場合には、何も送信されない。
【００５２】
クライアント４で前記最新画像ファイルパスを受信した場合は、Ｗｅｂページ表示機能４１１により、その最新画像ファイルをhttpのGETメソッドでＷｅｂサーバ３へネットワーク５を介して要求し(ステップ３０５)、Webサーバ３から対象画像ファイルを取得する(ステップ３０６) 。
【００５３】
クライアント４は、Ｗｅｂページ表示機能４１１により、Ｗｅｂ画面上の該当箇所を、受信した画像に更新して表示する(ステップ３０７) 。
【００５４】
なお、以上の処理のうち、Ｗｅｂサーバ３とクライアント４の間におけるデータ送受信は全て非同期通信にて実施する。
【００５５】
図１１は、「前ボタン」または「後ボタン」に割当てられた画像表示処理（図９、ステップ２０５）の詳細を説明するシーケンスである。
【００５６】
まず、クライアント４は、ファイル情報管理機能４１２により、現在表示中の画像ファイル名を取得し(ステップ４０１)、 ファイル名、ボタン識別情報（(「前ボタン」または「後ボタン」)を含む更新要求に従い、ファイル名から前述の発表時刻判断方法を利用して表示すべき画像ファイルのパスを算出する (ステップ４０２) 。次に、Ｗｅｂページ表示機能４１１により、算出されたファイルパス上の対象画像をhttpのGETメソッドでＷｅｂサーバ３へネットワーク５を介して要求し(ステップ４０３)、Webサーバ３から対象画像ファイルを取得する(ステップ４０４)。
【００５７】
クライアント４は、Ｗｅｂページ表示機能４１１により、Ｗｅｂ画面上の該当箇所を、取得した対象データに更新して表示する (ステップ４０５) 。
【００５８】
以上の処理のうち、Ｗｅｂサーバ３とクライアント４の間におけるデータ送受信は全て非同期通信にて実施する。
【００５９】
図１３は、「動画ボタン」に割当てられた複数枚の画像連続表示処理を示すシーケンスである。
【００６０】
まず、クライアント４は、ファイル情報管理機能４１２により、現在表示中の画像ファイル名を取得し(ステップ５０１)、ファイル名、ボタン識別情報 (「動画ボタン」)を含む更新要求に従い、前記画像ファイル名から前述の発表時刻判断方法を利用して、予め設定された動画として表示すべき数分（例えば、6枚の画像を動画として連続表示させる場合は6個分）の画像ファイルのパスを算出し、それらの画像ファイルパスを要素とした画像ファイルパス配列を作成する(ステップ５０２) 。
【００６１】
次に、ファイル情報管理機能４１２により、ステップ５０２で作成した画像パス配列より対象画像のファイルパスを取得する。画像ファイルパスの取得には、画像カウンタ(初期値0)を用意し、前記画像ファイルパス配列上の画像カウンタの位置にあるパスを取得する。パスの取得ごとにカウンタを1増やし、カウンタが限界値に達したらカウンタを0にする (ステップ５０３) 。次に、Ｗｅｂページ表示機能４１１により、取得したファイルパス上の対象画像をhttpのGETメソッドでＷｅｂサーバ３へネットワーク５を介して要求し(ステップ５０４)、Webサーバ３から対象画像ファイルを取得する(ステップ５０５)。
【００６２】
クライアントは、Ｗｅｂページ表示機能４１１により、Ｗｅｂ画面上の該当箇所を、取得した対象画像データに更新して表示し(ステップ５０６) 、対象画像ファイルパス取得処理(ステップ５０３)へ戻る。
【００６３】
以上の処理のうち、Ｗｅｂサーバ３とクライアント４の間におけるデータ送受信は全て非同期通信にて実施する。
【００６４】
なお、上記実施形態では、Web表示画面に表示される複数の画像データは、気象データの場合を示したが、その他の画像データであっても良い。
【００６５】
以上説明したように、上記実施例によれば、Web画面上に複数の画像情報を表示させる場合において、簡単な操作でかつ処理遅延なく、目的の画像情報のみを更新できるWeb画面表示方法およびこれを実施するサーバ・クライアントシステムを提供することができる。これにより、大量に配信される複数の気象データを１つのＷｅｂ画面上で閲覧することが可能となり、気象業務の能率向上が図れる。また、上記実施例によれば、サーバ・クライアント間のデータ受け渡しにＸＭＬデータを使用しないため、ＸＭＬデータを生成、管理する処理が不要となり、処理量の軽減が図れる。
【００６６】
以上本発明の実施例を説明したが、本発明は、上述した実施例に限定されるものではなく、その要旨を逸脱しない範囲で種々変更可能である。
【符号の説明】
【００６７】
１・・・ファイル受信サーバ、２・・・共有ディスク、３・・・Ｗｅｂサーバ、４・・・クライアント、５・・・ローカルネットワーク、６・・・気象庁広域ネットワーク。
【図１】
2010211653.tif 000003
【図２】
2010211653.tif 000004
【図３】
2010211653.tif 000005
【図４】
2010211653.tif 000006
【図５】
2010211653.tif 000007
【図６】
2010211653.tif 000008
【図７（ａ）】
2010211653.tif 000009
【図７（ｂ）】
2010211653.tif 000010
【図８】
2010211653.tif 000011
【図９】
2010211653.tif 000012
【図１０】
2010211653.tif 000013
【図１１】
2010211653.tif 000014
【図１２】
2010211653.tif 000015
【図１３】
2010211653.tif 000016